(57)【要約】【課題】パネル本体の外周側に位置するフレームを相互に連結したときに、パネル本体とフレームとの間に生じ得る隙間を無くすこと。【解決手段】パネル本体１５の左右及び上下両側にそれぞれ位置する各一対の縦フレーム１６及び横フレーム１７と、パネル本体１５のコーナー対応領域に位置する連結手段２０とを備えてパネル１０が構成されている。連結手段２０は、縦横のフレーム１６，１７の端部に嵌合する脚部材３１，３１を直交二方向に備えたコーナー部材３０と、当該コーナー部材３０の内部から挿入されるねじ部材３３を含む。ねじ部材３３は、対応する各フレーム１６，１７の延出方向に沿って延び、フレーム１６，１７内のＣチャンネル２７にねじ込むことで、各フレーム１６，１７をパネル本体１５の外周縁にそれぞれ引き寄せる。【選択図】　　　　　図３
2004068494.tif 000002
【特許請求の範囲】
【請求項１】
パネル本体と、このパネル本体の外縁側にそれぞれ位置するフレームと、前記パネル本体のコーナー領域に配置されて前記フレームの端部間を相互に連結する連結手段とを備えたパネルにおいて、
前記連結手段は、前記フレームの端部間を連結したときに、各フレームを内側に引き寄せるように構成されていることを特徴とするパネル。
【請求項２】
前記連結手段は、前記フレームの端部に嵌合する脚部材を略直交二方向に含むコーナー部材と、このコーナー部材の内部から挿入されて前記フレームの端部にねじ込み可能なねじ部材とからなり、このねじ部材は、当該ねじ部材がねじ込まれるフレームの延出方向に沿って配置されていることを特徴とする請求項１記載のパネル。
【請求項３】
前記コーナー部材の表裏各面における少なくとも一方の面を利用してオプションが連結可能に設けられていることを特徴とする請求項２記載のパネル。
【請求項４】
前記コーナー部材の外周側に着脱自在となるカバーを更に含み、当該カバーは、前記オプションを連結するための締結部材を利用して脱落不能に装着されることを特徴とする請求項３記載のパネル。
【発明の詳細な説明】
【０００１】
【発明の属する技術分野】
本発明はパネルに係り、更に詳しくは、パネル本体とフレームとを隙間なく確実に連結するができるパネルに関し、当該パネルは、間仕切りや、収納家具等の側板として利用することができる。
【０００２】
【従来の技術】
公知の間仕切りを構成するパネルとしては、例えば、図１１に示される構成のものが知られている。同図におけるパネル１００は、略方形の板状をなすパネル本体１０１と、このパネル本体１０１の外縁側に位置する横フレーム１０２及び縦フレーム１０３と、これら横フレーム１０２及び縦フレーム１０３の端部間を相互に連結するコーナー部材１０４とを備えて構成されている。横フレーム１０２及び縦フレーム１０３は、押し出し成形等によって形成された中空角柱状に設けられる一方、コーナー部材１０４は、各フレーム１０２，１０３の端部内に挿入される脚部材１０５，１０５を略直交二方向に備えて構成されている。
【０００３】
前記コーナー部材１０４は、脚部材１０５，１０５が横フレーム１０２及び縦フレーム１０３の端部内に挿入された状態で、各フレーム１０２，１０３の表裏各面側から挿入されるねじ部材１０６によって固定されるようになっている。
【０００４】
【発明が解決しようとする課題】
しかしながら、このようなパネル１００にあっては、ねじ部材１０６が横フレーム１０２と縦フレーム１０３の表裏各面から挿入される構成であるため、パネル本体１０１、各フレーム１０２，１０３及びコーナー部材１０４に成形上の精度誤差が存在していた場合に、パネル本体１０１と各フレーム１０２，１０３との間に隙間を生じさせてしまうという不都合を招来する。また、ねじ部材１０６が各フレーム１０２，１０３の表裏各面から挿入されるものであるため、当該ねじ部材１０６の頭部が目立ってしまうものとなり、各フレーム１０２，１０３の構成に融合されたものとはなっていない。
【０００５】
【発明の目的】
本発明は、このような不都合に着目して案出されたものであり、その目的は、パネル本体の外周側に位置するフレームを相互に連結したときに、これらフレームでパネル本体の外縁側を外側から締め付けるようにしてパネル本体とフレームとの間に生じ得る隙間を無くすことのできるパネルを提供することにある。
【０００６】
また、本発明の他の目的は、フレームを連結する手段を用いて収納家具等の棚類をオプションとして連結することのできるパネルを提供することにある。
【０００７】
【課題を解決するための手段】
前記目的を達成するため、本発明は、パネル本体と、このパネル本体の外縁側にそれぞれ位置するフレームと、前記パネル本体のコーナー領域に配置されて前記フレームの端部間を相互に連結する連結手段とを備えたパネルにおいて、
前記連結手段は、前記フレームの端部間を連結したときに、各フレームを内側に引き寄せるように構成される、という構成を採っている。このような構成とすれば、連結手段を用いて各フレームを連結するだけでパネル本体の外縁側にフレームが引き寄せられるものとなり、従って、パネル本体とフレームとの精度誤差が生じていても、これを補正することができ、両者間に隙間を生じさせてしまう従来の不都合を解消することが可能となる。
【０００８】
【発明の実施の形態】
本発明において、前記連結手段は、前記フレームの端部に嵌合する脚部材を略直交二方向に含むコーナー部材と、このコーナー部材の内部から挿入されて前記フレームの端部にねじ込み可能なねじ部材とからなり、このねじ部材は、当該ねじ部材がねじ込まれるフレームの延出方向に沿って配置される、という構成を採るとよい。このような構成とすれば、ねじ部材がフレームに沿う配置とされていることで、当該ねじ部材の締め付け量を強くするほど前述した引き寄せ力を強くすることができる。しかも、ねじ部材は、コーナー部材の内部に位置するものであるため、外側から見えないようにすることも可能となる。
【０００９】
また、前記コーナー部材の表裏各面における少なくとも一方の面を利用してオプションが連結可能に設けられる、という構成を採ることが好ましい。このような構成とすれば、例えば、コーナー部材を用いて天板や底板等を含む棚類を一対配置とされたパネル間に設けることができるようになり、収納家具の側板としてパネルを利用することが可能となる。
【００１０】
また、本発明は、前記コーナー部材の外周側に着脱自在となるカバーを更に含み、当該カバーは、前記オプションを連結するための締結部材を利用して脱落不能に装着される、という構成を併せて採用することもできる。このような構成では、オプションの装着とカバーの装着とを同時に行うことができ、部品点数の削減を通じて作業の簡略化を図ることができる。
【００１１】
【実施例】
以下、本発明の実施例を図面を参照しながら説明する。
【００１２】
図１には、本発明に係るパネルが適用された可動間仕切りの概略斜視図が示され、図２には、図１のＡ部を拡大して一部を分解した概略斜視図が示されている。これらの図において、可動間仕切り１０は、パネル１１と、当該パネル１１を三点位置にて自立姿勢に保持する第１ないし第３キャスター１２，１３，１４とにより構成されている。
【００１３】
前記パネル１１は、略方形の外形を備えた板状をなすパネル本体１５と、このパネル本体１５の外縁側、すなわち、左右各縁及び上下各縁に沿って延びる左右一対の縦フレーム１６，１６及び上下一対の横フレーム１７，１７と、これら縦横の各フレーム１６，１７の端部間を相互に連結する連結手段２０とにより構成されている。パネル本体１５は、図３に示されるように、側端面に位置決め部１５Ａを備えた形状に設けられている。この位置決め部１５Ａは、端面形状が略Ｌ字状をなしてパネル本体１５の側端上下方向に沿ってレール状に形成され、当該位置決め部１５Ａを利用してパネル本体１５と縦フレーム１６との相対位置が決定できるようになっている。
【００１４】
前記縦横の各フレーム１６，１７は、パネル組み立て時の向き若しくは位置が異なるだけで同一部材を用いて構成されている。従って、ここでは、縦フレーム１６について説明し、横フレーム１７については、同一符号を付して説明を省略する。この縦フレーム１６は、特に限定されるものではないが、本実施例では、アルミを成形素材とした押し出し成形品により構成されており、図３及び図４に示されるように、前面側若しくは後面側に表出する一対のフレーム正面２２，２２と、これらフレーム正面２２，２２の左右端部間に位置する外側面２４及び内側面２５とを備えて全体的に略角柱状に設けられている。各フレーム正面２２の中間部には面位置を凹ませてフレーム延出方向に延びる補強用の溝２２Ａ，２２Ａがそれぞれ形成されている。また、外側面２４の内面側には、端面形状が略Ｃ字状とされて端部領域がタッピングホールとして利用されるＣチャンネル２７が設けられている。この一方、内側面２５は、前後方向に隙間をＳを形成する一対の内側形成片２５Ａ，２５Ａにより構成されているとともに、それらの内方位置には仕切面２８が形成され、当該仕切面２８と一方の内側形成片２５Ａとの間にパネル本体１５の位置決め片１５Ａが受容されてパネル本体１５と縦フレーム１６との相対取付け位置が決定されるようになっている。なお、横フレーム１７は、内側形成片２５Ａ，２５Ａがパネル本体１５の上下各端面に接して接合される。また、外側面２４の内面と仕切面２８の内面には、連結部材２０の挿入位置を特定するガイドをなすリブ２４Ａ，２８Ａが、前後方向二箇所位置でフレーム延出方向に沿って形成されている。
【００１５】
前記連結手段２０は、縦フレーム１６と横フレーム１７との端部位置において、パネル本体１５のコーナー対応領域に設けられている。この連結手段２０は、コーナー部材３０と、当該コーナー部材３０と一体に設けられて同一面内で略直交二方向に延びる脚部材３１，３１と、コーナー部材３０の内部から挿入されて縦フレーム１６及び横フレーム１７における各Ｃチャンネル２７，２７の端部にねじ込み可能なねじ部材３３，３３と、コーナー部材３０の外周側に着脱自在に設けられたカバー３５と、このカバー３５をコーナー部材に固定するねじ等からなる締結部材３７とを備えて構成されている。
【００１６】
前記コーナー部材３０は、縦フレーム１６及び横フレーム１７のそれぞれの端に略接する突き合わせ面３８，３８と、これら突き合わせ面３８，３８の前後に位置するとともに、前記縦フレーム１６及び横フレーム１７の各フレーム正面２２，２２に連なる一対の正面片４０，４０とにより構成されている。突き合わせ面３８，３８は、図４に示されるように、内方に屈曲した段部３８Ａを介して一体に連なっているとともに、面位置を部分的に凹ませた凹部４２の領域内で前記Ｃチャンネル２７の略中心軸線に対応する位置に、前記ねじ部材３３の挿入穴４３，４３がそれぞれ形成されている。
【００１７】
図３に示されるように、前記コーナー部材３０の正面片４０，４０は略板状をなし、それらの間と前記突き合わせ面３８，３８とで囲まれる内側に内部空間を形成するようになっている。各正面片４０，４０の面内には、前記締結部材３７，３７を受け入れる穴４５，４５がそれぞれ形成されているとともに、前記脚部材３１，３１側の端部領域には、縦フレーム１６及び横フレーム１７に設けられた溝２２Ａ，２２Ａに連なる溝４０Ａ，４０Ａがそれぞれ形成されている。なお、パネル１１の下部に配置されるコーナー部材３０は、図６に示されるように、正面片４０，４０のコーナー曲率が、上部に用いられるコーナー部材３０の正面片４０，４０のコーナー曲率と僅かに相違するだけで実質的には同一の構成となっている。
【００１８】
前記脚部材３１，３１はそれぞれ略同一構造となっている。この脚部材３１は、図５にも示されるように、縦横の各フレーム１６，１７の端部内に挿入できる外形に設けられており、縦フレーム１６及び横フレーム１７内のＣチャンネル２７回りに位置可能な断面Ｃ字状の受容部５０と、この受容部５０の中間部に絞り部５１を介して一体に連なる基台５２とにより構成されている。受容部５０内には、コーナー部材３０の突き合わせ面３８に形成された挿入穴４３が臨んでおり、従って、当該挿入穴４３内に挿入されるねじ部材３３は、受容部５０内に延び、ねじ部材３３は、対応する縦フレーム１６及び横フレーム１７の延出方向に沿ってそれぞれ配置されることとなる。また、脚部材３１は、各フレーム１６，１７の端部内に挿入されたときに、当該フレーム１６，１７内の前記リブ２４Ａ，２８Ａの内側にぴったりと収められるようになっている。
【００１９】
前記カバー３５は、図３ないし図５に示されるように、コーナー部材３０の内部空間を閉塞する外形を備えたカバー面部５５と、このカバー面部５５の内面側に一体に設けられたブロック５７とにより構成されている。カバー面部５５は、縦フレーム１６の外側面２４に略沿う縦カバー面５５Ａと、この縦カバー面５５Ａに連なって前記横フレーム１７の外側面２４に略沿う横カバー面５５Ｂとからなる。また、ブロック５７は、縦カバー面５５Ａ及び横カバー面５５Ｂの各反対側の面に断面略三角形状の切欠部５９，５９を備えた形状をなし、縦カバー面５５Ａ及び横カバー面５５Ｂの交差位置と略対角位置に切欠段部６０を備えた形状に設けられている。この切欠段部６０は、コーナー部材３０における段部３８Ａに略対応し、これにより、カバー３５の取付け位置が決定できるようになっている。また、ブロック５７には、前後方向に貫通するねじ穴６２が形成され、当該ねじ穴６２に前記締結部材３７がねじ込みできるように設けられている。
【００２０】
図６及び図７に示されるように、前記カバー３５において、パネル１１の下部に設けられるカバー３５には、ねじ穴６４が形成され、このねじ穴６４を利用して第１のキャスター１２が固定可能に設けられてる。この一方、第２及び第３のキャスター１３，１４は、図８に示されるように、キャスター保持部材６５を介して固定されている。このキャスター保持部材６５は、略クランク状に屈曲した外形をなし、その屈曲部近傍に穴６７が形成され、当該穴６７に下方より挿入される固定ねじ６８をカバー３５のねじ穴６４にねじ込むことによりキャスター保持部材６５がパネル１１の下端部に固定され、これにより、パネル１１は、第１ないし第３のキャスター１２〜１４の三点支持とされて自立可能となる。
【００２１】
以上の構成において、可動間仕切り１０を組み立てる場合には、例えば、二本の縦フレーム１６，１６を床面等に横置きするとともに、各縦フレーム１６，１６間にパネル本体１５を位置させる。この際、パネル本体１５の位置決め部１５Ａは縦フレーム１６の内側形成片２５Ａと仕切面２８との間に挟み込まれる。そして、各縦フレーム１６の延出方向両端部に、コーナー部材３０，３０における各一方の脚部材３１，３１をそれぞれ挿入する。この一方、各縦フレーム１６，１６の端部間に横フレーム１７，１７を配置し、他方の脚部材３１，３１を横フレーム１７の各端部内に挿入する。
【００２２】
次いで、各コーナー部材３０に各二本のねじ部材３３，３３を挿入し、これらねじ部材３３を締め付け方向に回転させることで、Ｃチャンネル２７の内周面にねじ溝が切られて縦フレーム１６及び横フレーム１７とコーナー部材３０とが相互に連結されることとなる。ここで、縦フレーム１６及び横フレーム１７のＣチャンネル２７にねじ込まれるねじ部材３３は、それぞれ対応する縦横のフレーム１６，１７の延出方向に沿って位置することとなるため、ねじ部材３３のねじ込み量に対応して突き合わせ面３８，３８と縦横のフレーム１６，１７が互いに引き寄せられる作用を生ずることとなる。その結果、縦横四本の各フレーム１６，１７はねじ部材３３のねじ込みによって内側に移動する作用をもたらし、パネル本体１５の外周面を強く押圧するようになり、これによって、縦横のフレーム１６，１７とパネル本体１５との間に生じ得る隙間の発生が回避される。
【００２３】
次いで、各コーナー部材３０にカバー３５を配置し、コーナー部材３０の正面片４０に設けられた穴４５に締結部材３７を挿入して前後両側からねじ込むことでカバー３５をコーナー部材３０に固定することができる。
【００２４】
なお、キャスター１２及びキャスター保持部材６５を取付けできるタイプのカバー３５が装着されているコーナー部材３０には、その後に第１のキャスター１２と、キャスター保持部材６５とを取り付けることで、可動間仕切り１０が自立できる状態に組み立てられることとなる。
【００２５】
従って、このような実施例によれば、ねじ部材３３をＣチャンネル２７にねじ込むことによって、縦横の各フレーム１６，１７に対して、これらを内側に変位させようとする力が生じるようになり、これらフレーム１６，１７とパネル本体１５との組み立て強度が増大するとともに、縦フレーム１６及び横フレーム１７がパネル本体１５の外周縁に強く押し付けられて成形精度の誤差があってもこれを補正して、両者間の隙間の発生を回避することができる。
【００２６】
なお、本発明に係るパネル１０は、前記実施例に限定されるものではなく、例えば、収納家具の側板として利用することができる。すなわち、図９に示されるように、コーナー部材３０における一方の正面片４０に天板支持体７０を介してオプションとしての天板７１を取り付けるようにすることができる。これを更に詳述すると、天板支持体７０は、平面部７４と、当該平面部７４の端部に連なる取付面７５とからなり、当該取付面７５の面内に穴７５Ａが設けられている。
【００２７】
天板７１を組み合わせる場合には、前記天板支持体７０の取付面７５をコーナー部材３０の一方の正面片４０と、横フレーム１７の一方の前面２２に略接する状態に配置する。そして、取付面７５の穴７５Ａ及び正面片４０の穴４５を通じてカバー３５のねじ穴６２に締結部材３７をねじ込んで連結を行った後、天板支持体７０の上面側に天板７１を配置すればよい。図９では、パネルの片側に天板７１を連結する場合を示しているが、他方の正面片４０側にも同様の連結を行うことができ、この場合には、パネルは収納家具の仕切面として作用することとなる。また、ここでは図示省略しているが、下方のコーナー部材３０を利用して底板を連結することができる。なお、パネル１１を収納家具の側板として利用する場合には、図１０に示されるように、前述したキャスター保持体を省略して、キャスター８０を設けることができる。
【００２８】
従って、このような構成を採用した場合には、前述した効果の他に、パネル１１の構成部品を共通部品として利用しつつ、棚類等のオプションを連結でき、パネル１０に汎用性を付与することが可能となる。
【００２９】
なお、前記実施例では、カバー３５が締結部材３７によってコーナー部材３０に固定される場合を図示説明したが、カバー３５をコーナー部材３０に嵌合可能に設けてもよい。この場合には、締結部材３７が用いられない構成となるため、パネル１１はオプションを連結しない専用タイプとして用いられることとなる。更に、ねじ部材３３の使用本数は、前記実施例の数に限定されるものではなく、縦横のフレーム１６，１７の大きさ等に応じて増加させることもでき、加えて、Ｃチャンネル２７に代えて、ねじ切りされたナットを各フレーム１６，１７側に形成しておくことも可能である。要するに、本発明は、ねじの締め付けによって、外側の各フレーム１６，１７がパネル本体１５の外周縁側を押圧するように引き寄せられる構成であれば、種々の設計変更を行うことを妨げない。
【００３０】
【発明の効果】
以上説明したように、本発明によれば、パネル本体の外縁側に位置するフレームの端部間を連結手段で連結する構成とし、当該連結手段が各フレームを内側に引き寄せるように構成されているから、連結手段を用いて各フレームを連結するだけでパネル本体の外縁側にフレームが引き寄せられるものとなり、従って、パネル本体とフレームとの精度誤差が生じていても、これを補正して両者間に隙間を生じさせてしまう従来の不都合を解消することができる。
【００３１】
また、前記連結手段において、コーナー部材の内部から挿入されて前記フレームの端部にねじ込み可能なねじ部材がフレームの延出方向に沿って配置されておりから、ねじ部材がフレームに沿わせる配置とされていることで、当該ねじ部材の締め付け量を強くするほど前述した引き寄せ力を強くすることができる。しかも、ねじ部材は、コーナー部材の内部に位置するものであるため、外側から見えないようにすることも可能となる。
【００３２】
更に、前記コーナー部材にオプションが連結可能に設けられた構成によれば、例えば、コーナー部材を用いて天板や底板等を一対のパネル間に設けることができるようになり、収納家具の側板としてパネルを利用することが可能となる。
【００３３】
また、本発明は、前記コーナー部材の外周側に着脱自在となるカバー
がオプションを連結するための締結部材を利用して脱落不能に装着される、構成とした場合には、オプションの装着とカバーの装着とを同時に行うことができ、作業の簡略化を図ることができる。
【図面の簡単な説明】
【図１】本発明が可動間仕切りに適用された実施例の全体構成を示す概略斜視図。
【図２】図１のＡ部を拡大して一部を分解した概略斜視図。
【図３】図１のＡ部拡大分解斜視図。
【図４】図１のＡ部拡大縦断面図。
【図５】図１のＢ部拡大分解斜視図。
【図６】図１のＣ部拡大分解斜視図。
【図７】図１のＣ部拡大縦断面図。
【図８】図１のＤ部を拡大して一部を分解した斜視図。
【図９】本発明に係るパネルを用いて天板等のオプションを連結する場合の構成を示す、図１のＡ部に対応する要部分解斜視図。
【図１０】キャスター保持部材を用いない場合の図１のＤ部に対応する要部分解斜視図。
【図１１】従来のパネル構造を示す要部概略斜視図。
【符号の説明】
１０　可動間仕切り
１１　パネル
１５　パネル本体
１６　縦フレーム（フレーム）
１７　横フレーム（フレーム）
２０　連結手段
３０　コーナー部材
３３　ねじ部材
３１　脚部材
３５　カバー
３７　締結部材
７１　天板（オプション）
【図１】
2004068494.tif 000003
【図２】
2004068494.tif 000004
【図３】
2004068494.tif 000005
【図４】
2004068494.tif 000006
【図５】
2004068494.tif 000007
【図６】
2004068494.tif 000008
【図７】
2004068494.tif 000009
【図８】
2004068494.tif 000010
【図９】
2004068494.tif 000011
【図１０】
2004068494.tif 000012
【図１１】
2004068494.tif 000013